(57)【要約】【課題】特に弱視者や視力障害者を含む身障者や老人でも輪投げ遊戯を楽しむことができ、輪投げの遊戯性を飛躍的に高めることができる輪投げ遊戯具を提供する。【解決手段】遊戯場所に配する台座２と、台座２に立設したポール３と、ポール３に引っ掛ける複数の投げ輪４とからなる輪投げ遊戯具１において、投げ輪４がポール３に引っ掛かったことを検出する検出手段５を備えており、検出手段５は発光素子６ａ，７ａおよび受光素子６ｂ，７ｂであって、台座２に発光素子６ａ，７ａを、ポール３に受光素子６ｂ，７ｂを配し、これらの素子６ａ，６ｂ、７ａ，７ｂの対がポール３を挟んで反対側に備えられている。【選択図】        図１
2004313344.tif 000002
【特許請求の範囲】
【請求項１】
遊戯場所に配する台座と、該台座に立設したポールと、該ポールに引っ掛ける投げ輪とからなる輪投げ遊戯具において、
上記投げ輪が上記ポールに引っ掛かったことを検出する検出手段を備えており、該検出手段は発光素子および受光素子であって、上記台座にいずれか一方の素子を配すると共に、上記ポールに他方の素子を配し、これらの素子の対がポールの径方向における異方向に少なくとも２対以上備えられていることを特徴とする輪投げ遊戯具。
【請求項２】
前記検出手段として２対の発光素子および受光素子を有し、各対の素子が上記ポールを挟んで相反する位置に配されていることを特徴とする請求項１に記載の輪投げ遊戯具。
【請求項３】
前記ポールの基端部分がその上部よりも拡径されており、該ポール基端部分の外径と前記台座に配された素子との間の最大距離が、前記投げ輪の外径よりも大きく設定されていることを特徴とする請求項１または請求項２に記載の輪投げ遊戯具。
【請求項４】
前記検出手段には、制御装置を介して投げ輪がポールに引っ掛かったことを報知する報知手段が接続されることを特徴とする請求項１から請求項３のいずれかに記載の輪投げ遊戯具。
【発明の詳細な説明】
【０００１】
【発明の属する技術分野】
本発明は、台座に立設したポールへ向けて投げ輪を投げて、ポールに引っ掛かるか否か、或いは引っ掛かった輪の数を競う輪投げ遊戯具に関する。
【０００２】
【従来の技術】
従来の輪投げ遊戯具は、床等に配する台座と、該台座に任意の高さで立設したポール（目標柱）と、このポールに引っ掛ける複数の投げ輪とからなる簡単な構造の遊戯具である。また、これを使用した輪投げは、定められた投てき位置から遊戯者がポールへ向けて所定数の投げ輪を投げて、ポールに引っ掛かった輪の数を競う単純な遊戯であり、万人が楽しむことができる伝統的な遊戯として知られている。
【０００３】
本出願人は、このような輪投げ遊戯具に関連する技術として、特願２００２−２４５９６５号に「輪投げ装置」に係る発明を提案している。この発明は、投げ輪を投じるための目標柱と、目標柱を直立させるための基台と、基台内に収納して音響信号を発生させるための音響信号発生回路と、音響信号を繰り返すための繰返し回路と、音響信号を音響として発するためのスピーカーと、音響信号発生回路及び繰返し回路に電源を供給するための電池収納器及び電池と、音響信号発生回路及び繰返し回路に供給する電源を入り切りするための電源スイッチと、投げ輪とから構成されている。
【０００４】
また、特願２００２−０３１９０４号には、「輪投げ遊戯具」に係る発明を提案している。この発明は、ポール支持部を有する台座と、該ポール支持部に着脱可能に支持して立設させるポールと、該ポールに引っ掛ける複数の投げ輪とからなり、上記ポールには、遊戯者に投てき目標として示唆する報知手段が備えられている。
【０００５】
【発明が解決しようとする課題】
ところで、これらの輪投げ装置及び輪投げ遊戯具は、輪投げの遊戯性及び競技性を高めることができ、特に弱視者や視力障害者を含む身障者や老人にも競技参加の機会を与えることができ、身障者等のリハビリテーションにも寄与することができるという点で優れたものである。
【０００６】
しかし、弱視者や視力障害者が遊戯を行う場合には、遊戯補助者によって投げ輪がポール（目標柱）に引っ掛かったことを間接的に伝えてもらわなければ、そのことを直接認識することができず、投げ輪が引っ掛かった瞬間に遊戯者が喜びを感じることができないという点においては、遊戯性を半減させるものであった。
【０００７】
そこで、本発明の目的は、上記課題を解決し、特に弱視者や視力障害者を含む身障者や老人でも輪投げ遊戯を楽しむことができ、輪投げの遊戯性を飛躍的に高めることができる輪投げ遊戯具を提供することにある。
【０００８】
【課題を解決するための手段】
本発明は上記目的を達成するために提案されたもので、請求項１に記載のものは、遊戯場所に配する台座と、該台座に立設したポールと、該ポールに引っ掛ける投げ輪とからなる輪投げ遊戯具において、
上記投げ輪が上記ポールに引っ掛かったことを検出する検出手段を備えており、該検出手段は発光素子および受光素子であって、上記台座にいずれか一方の素子を配すると共に、上記ポールに他方の素子を配し、これらの素子の対がポールの径方向における異方向に少なくとも２対以上備えられていることを特徴とする輪投げ遊戯具である。
【０００９】
請求項２に記載のものは、前記検出手段として２対の発光素子および受光素子を有し、各対の素子が上記ポールを挟んで相反する位置に配されていることを特徴とする請求項１に記載の輪投げ遊戯具である。
【００１０】
請求項３に記載のものは、前記ポールの基端部分がその上部よりも拡径されており、該ポール基端部分の外径と前記台座に配された素子との間の最大距離が、前記投げ輪の外径よりも大きく設定されていることを特徴とする請求項１または請求項２に記載の輪投げ遊戯具である。
【００１１】
請求項４に記載のものは、前記検出手段には、制御装置を介して投げ輪がポールに引っ掛かったことを報知する報知手段が接続されることを特徴とする請求項１から請求項３のいずれかに記載の輪投げ遊戯具である。
【００１２】
【発明の実施の形態】
以下、本発明の実施の形態を図面に基づいて説明する。ここで、図１は本実施形態の輪投げ遊戯具を示す斜視図である。
【００１３】
輪投げ遊戯具１は、図１に示すように、主に床等に配される台座２と、該台座２に立設したポール３と、該ポール３に引っ掛ける複数の投げ輪４とから構成されており、さらに該投げ輪４が上記ポール３に引っ掛かったことを検出する検出手段５が備えられている。
【００１４】
台座２は、例えば正方形の平板状を呈しており、木材や樹脂材等により形成され、その内部には後述する制御装置１１が収納されている。この台座２上の対角となる任意の２つの隅角部には、上記検出手段５を構成する発光素子および受光素子のいずれか一方が設けられており、本実施形態では、発光素子６ａ，７ａが配設されている。これら発光素子６ａ，７ａは後述する制御装置１１および電源１４と接続され、電源投入時には常時発光し、後述する受光素子６ｂ，７ｂに向けた指向性を有している。
【００１５】
ポール３は上記台座２の中心部に立設され、上方部分３ａが投げ輪４を案内するように順次縮径された丸棒状であり、下方部分（基端部分）３ｂが拡径しており、例えば木材や樹脂材等により形成されている。このポール３の中間部には、上記検出手段５を構成する発光素子および受光素子の他方が設けられており、本実施形態では、受光素子６ｂ，７ｂが配設されている。これら受光素子６ｂ，７ｂは、上記台座２上の発光素子６ａ，７ａに臨むように斜め下方に向けて設けられており、後述する制御装置１１およびこれを介して電源１４と接続され、電源投入時には上記発光素子６ａ，７ａから常時受光するように成っている。
【００１６】
すなわち、本実施形態では、発光素子および受光素子の対が２対配されており、上述したように、上記台座２上の対角となる任意の２つの隅角部に発光素子６ａ，７ａが配置されているので、各対の素子６ａ，６ｂ、７ａ，７ｂが上記ポールを挟んで反対側に配置されている。このように本実施形態において、発光素子および受光素子の対を２対有し、各対の素子６ａ，６ｂ、７ａ，７ｂを上記ポールの径方向の相反する位置に配しているのは、受光素子６ｂ，７ｂに到達する光を投げ輪４が遮ること（遮光）により該投げ輪４がポール３に引っ掛かったことを検出するが、一方の素子対６ａ，６ｂまたは７ａ，７ｂの受光を遮っただけでは投げ輪４がポール３の横を通過しただけで引っ掛からない場合もあるため、双方の素子対６ａ，６ｂおよび７ａ，７ｂの光が遮られたときにポール３に引っ掛かったと判断するようにするためである。
【００１７】
なお、上記ポール３の径方向における異方向に発光素子および受光素子の対を３対以上配置してもよいが、その場合には全ての素子対の送受光が遮られたときにポール３に引っ掛かったと判断する。また本実施形態では、台座２上の対角となる任意の２つの隅角部に発光素子６ａ，７ａを配置し、ポール３の中間部に受光素子６ｂ，７ｂを配置しているが、発光素子６ａ，７ａは台座２上の隅角部に限らず、ポール３を挟んだ反対側の辺上でもよい。また、受光素子６ｂ，７ｂはポール３の中間部に限らず、それよりも上方、或いは下方でもよい。なお、受光素子６ｂ，７ｂは、天井の照明の光の影響を受け難くするために、台座２よりもポール３に設けた方が良い。
【００１８】
図２は、本実施形態の輪投げ遊戯具における電気的構成要素の構成を示す概略図である。図示するように、台座２に内蔵された制御装置１１は、例えばＣＰＵ１２を備え、制御内容をＲＯＭ１３に記録したコンピュータ基板により構成されており、電源１４等に接続され、制御装置１１および電源１４は発光素子６ａ，７ａと接続されている。また、制御装置１１には受光素子６ｂ，７ｂが接続され、上記制御装置１１を介して電源も供給され、発光素子６ａ，７ａからの受光状況を入力するように成っている。さらに、制御装置１１には、音発生手段や発光手段等の報知手段１５が接続され、発光素子６ａ，７ａから双方の素子対６ａ，６ｂ、７ａ，７ｂへの受光が遮られた信号が入力されると、報知手段１５に出力信号を発するように成っている。
【００１９】
なお、音発生手段としては例えば音源ボードを備えたスピーカ等が挙げられ、発光手段としては例えば発光ダイオード（ＬＥＤ）やランプ等が挙げられる。また、本発明で使用する電源１４は家庭用の電源に限定されるものではなく、台座２内に電池を収納して電源としてもよい。
【００２０】
また本実施形態では、上述したように、ポール３の下方部分（基端部分）を拡径して太く形成している。これは、投げ輪４がポール３に引っ掛かったときに、その投げ輪４の一部が台座２上の発光素子６ａ，６ｂの上に載らないようにするためである。そのためには、ポール３の基端部分３ｂの外径と上記台座２に配された素子（本実施形態では、発光素子６ａ，６ｂ）との間の最大距離が、上記投げ輪４の外径よりも大きく設定されていることが好ましい。
【００２１】
次に、本実施形態の輪投げ遊戯具における作用を説明する。
本実施形態の輪投げ遊戯具１は、まず、適宜定めた遊戯ルールに基づいて、例えば５ｍ、７ｍ、１０ｍ、１３ｍ等の遊戯者の実力に応じて定めた投てき距離（ポール３からの距離）を測定して投てき位置を設定し、スイッチをオンにして電源を投入する。そして、投てき位置から遊戯者が、例えば１０個の投げ輪４を投げて、ポール３に引っ掛かった数を競うことになる。
【００２２】
本実施形態によれば、投げ輪４がポール３に引っ掛かったことを検出する検出手段５が備えられているので、これを上述したような報知手段１５などと連動させることにより  例えば、弱視者や視力障害者であっても投げ輪４がポール３に引っ掛かったことを直接かつ容易に把握することができ、輪投げの遊戯性を飛躍的に高めることができる。また、単に投げ輪４がポール３に引っ掛かったことを報知するような報知手段１５のみならず、双方の素子対の送受光が遮られた回数をカウントするなどして引っ掛かった投げ輪４の数を数えるカウンタ等にも連動させることができ、汎用性に富む。
【００２３】
また本実施形態では、上記検出手段５として２対の発光素子６ａ，７ａおよび受光素子６ｂ，７ｂを有し、各対の素子６ａ，６ｂ、７ａ，７ｂをポール３の径方向の相反する位置に配しているので、図３に示すように、一方の素子対７ａ，７ｂの受光が遮られただけでは投げ輪４がポール３の横を通過しただけの場合もあるため、投げ輪４がポール３に引っ掛かったとは判断せず、図４に示すように、双方の素子対６ａ，６ｂ、７ａ，７ｂの送受光が遮られたときに投げ輪４がポール３に引っ掛かったと判断する。したがって、２対の素子対６ａ，６ｂおよび７ａ，７ｂのみで投げ輪４がポール３に引っ掛かったことを検出することができ、検出の信頼性も確保することができる。
よって、自分の通常の視力では投げ輪４がポール３に引っ掛かったことを確認できない、あるいは確認でき難い弱視者や視力障害者にも積極的に競技参加の機会を与えることができ、弱視者や視力障害者の運動不足を解消することができる。
【００２４】
さらに本実施形態によれば、ポール３の基端部分３ｂを拡径して太く形成しており、該ポール基端部分３ｂの外径と上記台座２に配された素子６ａ，７ａとの間の最大距離を投げ輪４の外径よりも大きく設定しているので、ポール３に引っ掛かった投げ輪４の一部が台座２上の素子６ａ，７ａの上に載って検出操作が阻害されるのを防止することができる。
【００２５】
すなわち、本実施形態の輪投げ遊戯具１は、輪投げの遊戯性を飛躍的に高めることができ、弱視者や視力障害者を含む身障者や広く老人にも遊戯参加の機会を与え、身障者等のリハビリテーションにも寄与することができるものである。
【００２６】
なお、本実施形態では、台座２上に単一のポール３を立設しているが、これに限るものではなく、本発明は複数本のポールを立設した場合にも適用することができる。
【００２７】
【発明の効果】
以上説明したように本発明によれば、以下の効果を奏する。
即ち、請求項１に記載の発明によれば、投げ輪がポールに引っ掛かったことを検出する検出手段が発光素子および受光素子であって、台座にいずれか一方の素子を配すると共に、ポールに他方の素子を配し、これらの素子の対がポールの径方向における異方向に少なくとも２対以上備えられているので、全ての素子対の送受光が遮られたときのみ投げ輪がポールに引っ掛かったと判断し、投げ輪がポールの横を通過してもポールに引っ掛かったと判断しない。したがって、検出の信頼性を確保することができる。
【００２８】
請求項２に記載の発明によれば、検出手段として２対の発光素子および受光素子を有し、各対の素子がポールの径方向の相反する位置に配されているので、２対の素子対のみで投げ輪がポールに引っ掛かったことを検出することができ、検出の信頼性も確保することができる。
【００２９】
請求項３に記載の発明によれば、ポールの基端部分が拡径されており、該ポール基端部分の外径と台座に配された素子との間の最大距離が、投げ輪の外径よりも大きく設定されているので、投げ輪がポールに引っ掛かったときに、その投げ輪の一部が台座上の素子上に載って検出操作が阻害されるのを防止することができる。
【００３０】
請求項４に記載の発明によれば、検出手段には、制御装置を介して投げ輪がポールに引っ掛かったことを報知する報知手段が接続されることにより、弱視者や視力障害者でも投げ輪がポールに引っ掛かったことを直接把握することができ、輪投げの遊戯性を飛躍的に高めることができる。
【図面の簡単な説明】
【図１】本発明に係る輪投げ遊戯具の一実施形態を示す斜視図である。
【図２】本実施形態の輪投げ遊戯具における電気的構成要素の構成を示す概略図である。
【図３】本実施形態の輪投げ遊戯具において、投げ輪がポールの横を通過した状態を示す概略図である。
【図４】本実施形態の輪投げ遊戯具において、投げ輪がポールに引っ掛かった状態を示す概略図である。
【符号の説明】
１  輪投げ遊戯具
２  台座
３  ポール
３ａ  ポールの上方部分
３ｂ  ポールの下方部分（基端部分）
４  投げ輪
５  検出手段
６ａ，７ａ  発光素子
６ｂ，７ｂ  受光素子
１１  制御装置
１２  ＣＰＵ
１３  ＲＯＭ
１４  電源
１５  報知手段
【図１】
2004313344.tif 000003
【図２】
2004313344.tif 000004
【図３】
2004313344.tif 000005
【図４】
2004313344.tif 000006